(57)【特許請求の範囲】
【請求項１】
輸液量、輸液流量を設定する操作スイッチパネル（１０００）を備えた設定部、該輸液量、該輸液流量を表示するための表示部（１１００，８，２１，２３，２５，２６，２７，２８，３２）、制御部を備えた輸液装置であって、
該設定部は、該表示部（１１００，８，２１，２３，２５，２６，２７，２８，３２）を構成する流量表示部（３２）の１００桁に対応するアップ・ダウンスイッチ（２２ａ），１０桁に対応するアップ・ダウンスイッチ（２２ｂ），１桁に対応するアップ・ダウンスイッチ（２２ｃ）を備え、
該設定部を構成する前記アップ・ダウンスイッチ（２２ａ，２２ｂ，２２ｃ）で該輸液流量(ｍＬ/ｈ)を入力する時、
１００桁に対応する前記アップ・ダウンスイッチ（２２ａ）を押し続けても数値が１ずつしか増減せず、かつ、押す毎に、ブザー音と同期して１ずつ増減するように該制御部で制御し、
該表示部（１１００，８，２１，２３，２５，２６，２７，２８，３２），該設定部はドア（４）に設けられ、
該ドア（４）は、本体ベース（３）の表面に対して最大角度まで開かれ、この位置で停止する一方で、該ドア（４）の開閉動作の途中位置ではガタツキを防止するようにヒンジ（６５）により回動軸支され、該ヒンジ（６５）の間には電源供給及び電気信号伝達のためにフレキシブルケーブルの（６３）一部が露出する状態で設けられており、該操作スイッチパネル（１０００）への電源供給及び電気信号伝達を行えるようにされ、
該ドア（４）が開いた状態または輸液開始中は、該設定部を構成する全ての前記操作スイッチパネル（１０００）での設定入力をできないように該制御部で制御することを特徴とする輸液装置。
【請求項２】
輸液動作開始後の操作パネル操作を無効にするキーロック・スイッチをさらに備えたことを特徴とする請求項１に記載の輸液装置。
【発明の詳細な説明】
【技術分野】
【０００１】
本発明は、薬剤を患者に投与するためのシリンジポンプ，輸液ポンプ等薬剤輸液装置、特に、輸液チューブを順次押圧して薬液を注入する輸液ポンプに関する。
【背景技術】
【０００２】
医療機関、在宅医療における輸液において、輸液流量,輸液予定量の設定の不具合等がある場合があり、より安全な輸液装置の必要性が求められている。従来、輸液装置において、設定入力キー、表示部を含む流量、予定量、各種警報等の設定入力・表示を行う操作パネルからなるユーザー・インターフェースが用いられている（特許文献１，特許文献２）。
【特許文献１】特開平９−１５４９４３号公報
【特許文献２】特開２０００−３００６６７号公報しかしながら、流量を多く設定入力したり、使用現場に適した設定入力できない等の問題があった。
【発明の開示】
【発明が解決しようとする課題】
【０００３】
本願は、従来の問題を解決するためになされたもので、使用者の使い勝手に優れ、安全性の高い輸液装置、特に、輸液を行う前の輸液量,輸液流量の設定を行う時の不具合について、必要に応じたアラーム等を使用者(医療従事者)に行うことができ、アラーム条件も使用者により適宜設定できるユーザーインターフェースを備えた輸液装置を提供することを目的とする。
【発明の効果】
【０００４】
以上説明したように、本発明によれば、使用者が、輸液条件の設定が安全確実に行え、さらにアラーム(警報)条件を必要に応じて操作パネルを含むユーザーインターフェースにより設定、調整、選択が容易に行える輸液装置を提供できる。
【課題を解決するための手段】
【０００５】
上記目的は、輸液量、輸液流量を設定する操作スイッチパネル（１０００）を備えた設定部、該輸液量、該輸液流量を表示するための表示部（１１００，８，２１，２３，２５，２６，２７２８，３２）、制御部を備えた輸液装置であって、
該設定部は、該表示部（１１００，８，２１，２３，２５，２６，２７２８，３２）を構成する流量表示部（３２）の１００桁に対応するアップ・ダウンスイッチ（２２ａ），１０桁に対応するアップ・ダウンスイッチ（２２ｂ），１桁に対応するアップ・ダウンスイッチ（２２ｃ）を備え、該設定部を構成する前記アップ・ダウンスイッチ（２２ａ，２２ｂ，２２ｃ）で該輸液流量(ｍＬ/ｈ)を入力する時、１００桁に対応する前記アップ・ダウンスイッチ（２２ａ）を押し続けても数値が１ずつしか増減せず、かつ、押す毎に、ブザー音と同期して１ずつ増減するように該制御部で制御し、該表示部（１１００，８，２１，２３，２５，２６，２７２８，３２），該設定部はドアに設けられ、該ドア（４）は、本体ベース（３）の表面に対して最大角度まで開かれ、この位置で停止する一方で、該ドア（４）の開閉動作の途中位置ではガタツキを防止するようにヒンジ（６５）により回動軸支され、該ヒンジ（６５）の間には電源供給及び電気信号伝達のためにフレキシブルケーブルの（６３）一部が露出する状態で設けられており、該操作スイッチパネル（１０００）への電源供給及び電気信号伝達を行えるようにされ、該ドア（４）が開いた状態または輸液開始中は、該設定部を構成する全ての前記操作スイッチパネル（１０００）での設定入力をできないように該制御部で制御することを特徴とする。
【発明を実施するための最良の形態】
【０００６】
以下に、本発明の好適な実施形態について添付の図面を参照して詳細に述べる。図１は、
輸駅装置の１例としての蠕動式輸液装置１を輸液用ポール９０に固定し、ドアを開いた様子を示した外観斜視図、図５は背面斜視図及び底面斜視図である。また図６はブロック図である。図１の状態から、後述する、例えば可撓性の輸液チューブ２(図２参照)をセットし、ドア４を閉じた状態で使用される。この使用状態において、情報に設けられたハンドル５と左右の突起部３ａ(図１では右側のみ図示)を除いた装置本体の外形寸法は、横幅寸法が約１９ｃｍ，高さ寸法が約１６ｃｍ，奥行き寸法が約１６ｃｍである。
この輸液装置１は、図示のように輸液用ポール９０に対して固定するために固定用ノブ９２を螺合した固定金具９１を背面に固定しており、輸液装置１を輸液用ポール９０の任意の高さに随時固定して使用できるようにしている。さらに、この輸液装置１を輸液用ポール９０から取外した後に、患者ベッド傍らの机上に置いた状態でも使用できるようにするために底面の４隅にはゴム足９３が固定されている。
【０００７】
このようにして、例えば輸液チューブ２(図２参照)をセット(装着)すると時の使い勝手を(改善)させるために、使用者(医師,看護師等の医療従事者等のオペレータ)が親指で各スイッチを押すとともに残りの指先を左右の突起部３ａの裏側に引っ掛るようにして各種スイッチの押圧動作を用意に行えるように配慮されている。これらの左右の突起部３ａ(但し、図１では右の向かって右側の突起部３ａのみ図示)は強化プラスチック製またはアルミダイキャスト製の耐衝撃性のある頑丈な本体ベース３から同じ素材で一体成形されており、図示のように上下方向に十分な長さを有している。これらの左右の突起部(凸状部)３ａによれば、輸液装置１の本体化粧カバー１２の幅がドア４の幅よりも大きくなるように形成されているので輸液装置１が床面上に落下されても輸液装置１の重心の関係からドア４よりも先に床面に当るようになり輸液装置１とドア４を落下時の衝撃力から保護する役割も果たしている。
【０００８】
この本体ベース３には図示のようにほぼ中央部において輸液チューブ２を左右から挟持する溝部３ｍが上下に２ケ所一体成形されており、使用者はこれらの溝部３ｍ内に輸液チューブ２を上下方向にセットするように構成されている。また、これらの溝部３ｍのほぼ中間には合計で４個のネジ１１０を、工具を用いて着脱可能に構成されたポンプ機構１００であって本体ベース３に内蔵されたカム駆動手段により個別に駆動される１０個のフィンガ１０−ｎを設けた機構が設けられている。この各フィンガ１０−ｎは耐薬品性にすぐれたポリアセタール等の熱可塑性樹脂で射出成形されている。また、本体ベース３の下方部位には、紙面前方に突出する顎部３ｋが溝部３ｍを取り囲むように一体成形されており、後述するドア化粧カバー１２を設けたドア４を閉じた時にこれらの顎部３ｋ上にドア化粧カバー１２の下方側面が位置することで何らかの衝撃的な外力が加わった時に、これらの顎部３ｋで外力を受け止めるようにして、ドア化粧カバー１２とドア４に対しては外力が加わらないようにして破損防止を図っている。また、本体ベース３のほぼ中間の右側部位にはフック５９が固定されており、ドア４において回動自在に設けられたドアロック・レバー７の係止部がこのフック５９に対して係止されることでドア４を本体ベース３に対する固定状態に維持できるようにしている。また、溝部３ｍの最上流側に対向する部位となるドア４にはエラストマーから形成されるドアシールゴム６６が配設されており、ドア４を閉じた時に本体ベース３は図示の形状部３ｊとの間で接合シール面を形成するようにドア・シールゴム６６が変形するようにして輸液装置１の内部に薬液等が侵入することを防止している。
【０００９】
ポンプ機構１００の下方向には閉塞センサ６２が配設されており、これに対向するようにドア４に配設された閉塞押え板６９と共に輸液チューブ２を前後方向に挟持する。この閉塞センサ６２は永久磁石とこの永久磁石の移動距離をアナログ的に検出するためのピックアップとから構成されており、輸液チューブ２の閉塞状態に伴う内圧変化に応じて移動される永久磁石の位置を検出するように構成されている。このために、閉塞押え板６９は輸液チューブ２のあらゆる方向の内圧変化を規制しないようにする必要があるので図示の円盤はバネ板(弾性部材)の端部において自由に可動できるように保持されている。閉塞センサ６２により閉塞として検出される閾値は、輸液装置１の底面に設けた調整手段(選択手段)５１(図５(ｂ)参照)をドライバー等で３０〜１７０ｋＰａの範囲で１０段階(複数段階)のうちから、使用する輸液チューブ２のメーカー、種類に応じて使用者またはメンテナンス等を行うサービスマン等が適宜調整(選択)できるようになっている。上方の溝部３ｍとポンプ機構１００との間には超音波を送受信して輸液チューブ２内に混入した気泡の有無を検出する気泡センサ３０ａの一方となる基部側センサ３０が図示のように本体ベース３に形成された部屋部３ｈ内に固定されている。また、超音波気泡センサ３０ａ他方となるドア側センサ３１については図示のようにドア４に固定されている。この構成により、ドア４を閉じた状態ではドア側センサ３１が本体ベース３部屋部３ｈ内に潜入できるようにすることで輸液チューブ２を前後方向から各センサで挟むことで不動状態に維持できるようにしている。
【００１０】
一方、ポンプ機構１００と本体ベース３はフィンガを含み概ねグレー系統の着色がほ施されているがポンプ機構１００の上下部分には目立つ色である赤色ないし橙色系統に着色された溝部品９４，９５が固定されており、使用者が輸液チューブ２をセットする時に各溝部内にセットすることで輸液チューブ２がポンプ機構１００の所定位置に間違いなく保持できるようにしている。また、図１では、ドア４は、本体ベース３の左側面に対してほぼ面一となるまで開かれた状態が示されている。このドア４は本体ベース３の表面に対して最大角度、ほぼ１０５度まで開かれ、この位置で停止する一方で、ドア４の開閉動作の途中位置ではガタツキを防止するようにヒンジ６５により回動軸支されている。このため、ヒンジ６５には不図示のバネが内蔵されている。
【００１１】
輸液装置１は、所定材質の熱可塑性合成樹脂材料からヒケや樹脂流れ痕等がないように特殊射出成形された本体化粧カバー１２を、本体ベース３の４隅を負おうように着脱自在に設けている。従って、この本体化粧カバー１２を取り外すことで輸液装置１の内部の全ての点検、部品交換箇所に簡単に近づけるようにして組立作業のみならず保守点検、部品交換作業の容易化を考慮した設計となっている。ドア４の背面には押圧板７０が後述するように付勢された状態で設けられている。また、上下のヒンジ６５,６５の間には電源供給及び電気信号伝達のためにフレキシブルケーブル６３が図示のように一部が露出する状態で設けられており操作スイッチパネル(図２参照)に加えて上述したドア側センサ３１への電源供給及び電気信号伝達他を行えるようにしている。
【００１２】
図５は輸液装置１の背面及び底面を示すもので、図５（ａ）に示す輸液装置１の背面には、輸液動作開始後の操作パネル操作を無効にするキーロック・スイッチ５２、ＤＣコネクタ５３、点滴プローブ接続コネクタ５４、輸液セット表示切換スイッチ５５、各基板上に実装された外部通信部(外部通信接続コネクタ)５６、点滴プローブホルダー９３ｃ、ヒューズホルダと交流電源コネクタ(レセプタクル)等が設けられている。また、図５（ｂ）に示す輸液装置１の底面には音声ガイド選択手段(音声ガイド選択スイッチ)と滴数選択表示手段(滴数選択表示スイッチ)の両方を兼ねる調整手段(調整スイッチ)５０が設けられている。音声ＩＣチップ７０から必要とする音声ガイドを適宜選択できるようになっており、それぞれの医療現場において最適の音声ガイドが行ええるようになっている。なお、音声ガイドの音量は、調整手段(設定手段)としての機能も果たす、流量設定手段(流量設定スイッチ)１１を押しながら、予定量設定手段(予定量設定スイッチ)９を押続け、アップ・ダウンスイッチ２２の２２ｃのアップスイッチを押す毎に流量表示部３２にＡ−１(音量：小)→Ａ−２(音量：中)→Ａ−３(音量：大)→Ａ−１(音量：小)と表示が順次切替わるので確認して設定を行えるようになっている。また、使用予定がない輸液チューブ(輸液セット)２の点滴滴数を輸液セット選択パネル８の選択枝から外すことができるようになっている。この調整手段５０はそれぞれ別個に設けてもよい。また、クランプ取付ネジ９３ａも設けられている。
【００１３】
次に、図２は輸液チューブ２をセット(装着)し、ドア４を閉じた後の様子を示し、輸液装置１の前面側に設けられた操作スイッチパネル１０００を図示した正面図である。図２において、既に説明済の構成部品については同様の符号を附して説明を割愛する。所定の薬液を内蔵した輸液バッグ３００が輸液用ポールに吊されており、輸液チューブ２の最上流側がこの輸液バッグ３００に接続されている。この輸液チューブ２の途中部位は図示のように輸液装置１にセットされる一方で、輸液チューブ２のさらに下流側にはローラクランプ３０３を介して静脈刺針３０４が接続されており、この静脈刺針３０４を患者の静脈に刺針することで薬液の注入を所定速度で行うようにしている。このローラクランプ３０３は輸液装置１側のクランプ機構５００(図１参照)と同じ作用を果たすものであるが、しばしばのこのローラクランプ３０３の操作(開／閉操作)が忘れられる場合があるので、音声ガイドと共にローラクランプ３０３の操作を促すようにしている。以上のようにして輸液バッグ３００が不図示の輸液用ポール(輸液スタンド)に吊るされてベッドに横たわる患者への精度の高い輸液を可能にしている。
【００１４】
輸液チューブ２の途中部位を図示のように一時的にセットした後、ドア４を閉じてドアロックレバー７の操作により輸液が介しできることになる一方で、滴数，予定量(輸液予定量)／積算量，流量(輸液流量)の表示部はいわゆる７セグメント数字表示となっている。ドア４には操作スイッチパネル１０００と滴数，予定量／積算量，流量の表示部８，２３，３２が見やすくレイアウトされ、流量の表示部３２は橙色のＬＥＤで、予定量／積算量の表示部２３は緑色のＬＥＤで色別で表示するようにし、流量の表示部３２は予定量／積算量の表示部２３よりも大きく表示するようにしている。操作スイッチ類を配置したキーパネルと滴数，予定量／積算量，流量の表示部８，２３，３２は透明樹脂フィルムの裏面上に所定項目が印刷されるとともに、エンボス加工により前方に円形に突出するように加工された樹脂フィルムにより、不図示の内蔵される各スイッチキーを覆うように接着してチ設けられており、薬液等が内部に侵入するのを防止している。
【００１５】
また、上述の各スイッチキーは共通の基板上に実装され、また、表示部８，２１，２３，２５，２６，２７，２８，３２のＬＥＤは自己発光して表示が夜間でも見えやすいようにしている。各スイッチキーと表示部８，２１，２３，２５，２６，２７，２８，３２及びランプ類は、後述する制御部に対してフレキシブルケーブル６３を介して接続されており、このケーブルから電源供給及び制御信号,駆動信号の電気信号等を伝達するようにして、ドア化粧カバー１２を設けたドア４の開閉動作に伴う電源供給及び制御信号,駆動信号の電気信号等の伝達が支障なく行えるようにしている。また、このドア４に設けられる基板はいわゆるＴＴＬレベルの電気信号のみを扱う。
【００１６】
次に各スイッチの機能について述べる。図示の左下隅に配設される電源スイッチ１５は、メイン電源の入／切に使用されるものであり、所定秒(およそ２秒)押し続けることで、電源入(ＯＮ)となり、再度所定秒(およそ３秒以上)押し続けることで、電源切(ＯＦＦ)となるように制御されており、不用意に電源入／切ができないようになっている。この電源スイッチ１５の右隣りのバッテリーランプ１６は図示のように３段階に表示する緑色発光ダイオードを設けており。電源の入(ＯＮ)／切(ＯＦＦ)に関係なく交流又は専用の直流電源を接続している時に点灯して充電中であることを知らせるようにしており、さらに充電中は充電量を、また、内蔵バッテリーの使用中には残量を３段階レベルでＬＥＤ表示するようにしている。また、このバッテリーランプ１６の左側には、商用電源か直流電源を使用している時であって、電源がＯＮの時のみ常時点灯する交流(ＡＣ)／直流(ＤＣ)ランプ１７が設けられている。この交流／直流ランプ１７の上には輸液中に押すことで内蔵のブザーが鳴り、輸液を強制停止するための停止・消音スイッチ１８が設けられている。この停止・消音スイッチ１８は警報音(ブザー)が鳴っている時に押すことで消音させることができ、また停止・消音スイッチ１８は、輸液の準備が整い、輸液開始可能な状態から所定秒(２秒程度)押し続けることでスタンバイ設定手段としての機能を有し、「スタンバイモード」となり、開始忘れを注意するアラーム状態が解除される状態になる。このことから、例えば手術室内において患者への刺針が完了した状態で待機する時に輸液開始のまでの時間中にアラーム(ブザー)発生を行わないようにできるようにしている。なお、アラーム状態が解除されていない条件では、所定分(約２０分)後にアラーム(ブザー音)を発生させて、輸液開始を促すようにしている。この停止・消音スイッチ１８の左隣りには停止中に橙色で発光するダイオードが点滅するようにした停止表示ランプ２１が停止・消音スイッチ１８と同じ枠で囲むようにして関連付けて設けられている。この停止・消音スイッチ１８の右隣りには開始スイッチ１９が設けられており、この開始スイッチ１９を押すことで内蔵のブザーが鳴り、輸液動作を開始し、開始表示ランプ２０の緑色発光ダイオードが点滅して動作状態であることを表示している。また、少し離れた位置からも動作状態が視認できるようにドア４の上部に突出して設けられた動作インジケーター６(図１参照)も緑色発光ダイオードが輸液量(輸液速度)に応じた点滅間隔で点滅するようにしている。また、上記の停止・消音スイッチ１８の左隣りには早送りスイッチ３６が設けられており、これを押圧することで押圧している間は設定された速度(ｍＬ／ｈ)よりも早い送液を行えるようにしている。
【００１７】
これらの各スイッチの上方には表示部１１００が設けられ、流量表示部(輸液流量表示部)３２の３桁の表示部に対応するようにアップ・ダウンスイッチ２２が図示のように合計６個配設されている。これらのアップ・ダウンスイッチ２２の各桁数(１００位，１０位，１位)に対応した上下ボタン２２ａ，２２ｂ，２２ｃを停止状態でそれぞれ押すことで流量(輸液流量)(ｍＬ／ｈ)と予定量(輸液予定量)(ｍＬ)の設定入力がそれぞれ１.０〜５００ｍＬ／ｈ，１〜９９９９ｍＬできるようにしている。この流量表示部３２の左隣りには押圧されることで設定モードに入る流量設定手段(流量設定スイッチ)１１が設けられている。また、流量(ｍＬ／ｈ)設定時において、１００位(ケタ)の上下ボタン２２ａは押し続けても数値が１ずつしか増減せず、押圧する毎に数値の増減と同期してブザーが鳴るようにしている。流量(ｍＬ／ｈ)設定では、まず、この流量設定手段(流量設定スイッチ)１１を押し、点滅状態を確認後、アップ・ダウンスイッチ２２で数値を入力し、所定の数値であることを確認し、再度、流量設定手段(流量設定スイッチ)１１を押すことで設定入力される。この流量表示部３２の上方には別枠印刷で囲まれた積算量・予定量表示部２３が配設されている。また、予定量設定範囲は、上述のアップ・ダウンスイッチ２２の各桁数に対応した上下ボタン２２ａ，２２ｂ，２２ｃを押すことで１.〜９９９９ｍＬの範囲で設定可能であり、１ｍＬ単位で設定するかまたはフリーに設定できるようにプログラムされ、その設定値を記憶部７１(図６参照)に記憶するように構成されている。この積算量・予定量表示部２３の左隣りには予定量の設定後に押圧されることで確認を行うための予定量設定スイッチ９が設けられている。また、輸液された積算量を、積算量表示範囲が０.０〜９９９９ｍＬの範囲となるように１ｍＬ単位で表示するようにプログラムされている。また、輸液された積算量を、積算量表示範囲が０.０〜９９９９ｍＬの範囲となるように１ｍＬ単位で表示するようにプログラムされている。なお、設定入力された流量(ｍＬ／ｈ)と予定量(ｍＬ)が、流量(ｍＬ／ｈ)≧予定量(ｍＬ)の場合、アラーム(ブザーまたは音声報知)により使用者に注意を促すようにしている。音声報知の一例としては、音声ＩＣチップ７０に予め記憶された、「設定流量をご確認下さい」等の音声で使用者に報知する。これらの表示部１１００にはＬＥＤ素子が使用されており、夜間ないし暗い部屋でも照明なしで視認できるようにしている。また、この輸液装置１は流量上限設定機能も備えている。
【００１８】
また、積算量・予定量表示部２３の上方には点滴筒を使用して輸液を行う時に点滴数を設定し、設定後に確認する輸液セット設定手段(滴数設定手段)８が設けられている。この右隣りには、「完了」の文字を点滅で表示する完了表示部２４が設けられている。この完了表示部２４の下方には、ドライバーの絵文字(キャラクター等)を裏面から照明したり、ＬＥＤ表示により定期点検次期が近づいている時又は定期点検時期である旨を知らせる点検時期表示部１３が設けられている。この表示部１３をＬＥＤで表示する場合、定期点検時期(期日)の所定の、例えば期間前の数日前から橙色で表示し、定期点検期日以降は赤色表示するように表示色を変化させてもよい。点灯するまでの期間の設定は、例えば、輸液動作停止中に、設定手段としての機能も果たす、流量設定手段(流量設定スイッチ)１１を押しながら、予定量設定手段(予定量設定スイッチ)９を押続け、アップ・ダウンスイッチ２２の２２ｂのアップスイッチを押す毎に０(設定なし)、１(ケ月)、２(ケ月)・・・１２(ケ月)と流量表示部３２に１、２・・・１２と表示が順次切替わるので確認して設定を行えるようになっている。また、設定した場合、外部通信部５６を介して、ＬＡＮ等の内部通信手段によりホストコンピュータで点検時期を一元管理するようにしてもよい。
【００１９】
さらに、輸液チューブ２の閉塞異常が閉塞センサ６２で検出されて輸液ができない時に「閉塞」の文字が点滅するようにして処置を促す閉塞異常表示部２６と、ドアが本体ベース３に対して完全でない時にその状態がドアスイッチで検出された時に「ドア」の文字を点滅させるドア開き表示部２７と、輸液チューブ２中に所定長(１０ｍｍ又は５ｍｍ)の長さの気泡が混入したと気泡センサ３０ａにより判断された時に「気泡」の印刷文字を点滅するようにした気泡異常表示部２８と、内蔵バッテリーの電圧が低下した時に「バッテリ」を点滅表示するようにしたバッテリ異常表示部２９と流量異常を表示する流量異常表示部２５と図示のように同じ印刷枠で囲まれたアラーム表示部として設けられている。なお、特に、アラーム等で輸液動作等の停止状態で、ドアスイッチ６３(図６参照)でドア４が本体ベース３に対して開いている状態か完全に閉じていない状態と判断すると全ての操作スイッチパネルでの操作が禁止され、設定入力されない工夫がなされている。この場合の設定入力のサブルーチンの一例が図７である。図７で、まず停止中か否かが判断される(ステップＳ１０１)。停止中であると判断されるとドア４が開いているか否か判断される(ステップＳ１０２)(なお、ステップＳ１０１で停止中でない、すなわち動作中と判断されると元のルーチンに戻り、設定入力操作か禁止される(ステップＳ１０９))。ドア４が開いていない(閉じている)と判断されると流量設定が選択されたか否か判断される(ステップＳ１０３)(なお、ステップＳ１０２でドア４が開いていると判断されると元のルーチンに戻り、設定入力操作か禁止される(ステップＳ１０９))。流量設定が選択された場合、流量設定変更処理を行う(ステップＳ１０８)。流量設定が選択されない場合、予定量設定が選択されたか否か判断される(ステップＳ１０４)。予定量設定が選択された場合、予定量設定変更処理を行う(ステップＳ１０７)。予定量設定が選択されない場合、滴数設定が選択されたか否か判断される(ステップＳ１０５)。滴数設定が選択されたと判断されると滴数変更処理を行う(ステップＳ１０６)。滴数設定が選択されないと判断されると元のルーチンに戻り、設定入力操作か禁止される(ステップＳ１０９)。なお、ステップＳ１０６，ステップＳ１０７，ステップＳ１０８処理後も元のルーチンに戻り、設定入力操作か禁止される(ステップＳ１０９)。上述のルーチン処理の順序は1つの例であり限定されるものではない。
【００２０】
以上、説明したように使用者が輸液条件を安全・確実に設定・確認し、輸液開始ができるようにユーザーインターフェースとしての操作スイッチパネルが工夫されている。また、図中の左下において破線で一部示したドアベース４ａはアルミダイキャスト製又は剛性のある樹脂製で、デザイン上のポイントとなる局面を側面と前面の間に形成している。
【００２１】
図３は、気泡センサ３０ａの斜視図、断面図を示すものである。図３（ａ）は基部側センサ(受信素子)３０と対向位置にあるドア側センサ(発信素子)３１の概観斜視図、図３（ｂ）はドア４を閉じることで輸液チューブ２を挟持状態にした様子を示した断面図である。基部側センサ３０と対向位置にあるドア側センサ３１は、１対の発信素子，受信素子で形成されている。輸液チューブ２中に気泡ありとの判断は以下のようなフロー(図４）により行われる。まず、使用者が検出される気泡の長さ(閾値)を５ｍｍ(主として小人用に適用),１０ｍｍ(主として大人用に適用)であるかを選択する。気泡検出感度の選択は、気泡センサ感度選択手段(選択スイッチ)としての、流量設定スイッチ１１を押しながら、選択手段としての予定量設定スイッチ９を押すと、予定量設定スイッチ９を押す毎に表示部３２に「５」→「１０」→「５」→「１０」に順次表示が切り替わり、「５」と表示されていれば、輸液チューブ２中に気泡ありと判断する長さの閾値が５ｍｍ、「１０」と表示されていれば、輸液チューブ２中の気泡ありと判断する長さの閾値が１０ｍｍを意味する。こうしていずれかを選択する(ステップＳ１)と、表示された「５」または「１０」のいずれかが選択(設定)値となる(ステップＳ２)。流量,予定量等すべての入力設定条件が整い、開始スイッチ１９を押すと輸液が開始される(ステップＳ３)。輸液中に気泡検出が行われ(ステップＳ４)、輸液チューブ２中に気泡があると、基部側センサ(受信素子)３０で検出される値が変化するので、これをカウント(フィンガ１０−ｎを駆動させるモータの回転数と同期)して気泡の長さの閾値を越えているか否かを判断し、越えていると気泡ありと判断し(ステップＳ５)、気泡異常表示部２８に表示する共にアラーム(ブザー，音声等)発生させ(ステップＳ６)、停止する(ステップＳ７)。選択スイッチは、上述のような他のスイッチを兼用せず、専用のスイッチを設けてもよい。なお、気泡検出により検出されるべき気泡の長さの閾値は、ディフオルト値として、「５」、「１０」、「１５」、「２０」等複数段階としているが、使用者は、「５」、「１０」の２段階のいずれかの閾値のみが選択できるようにしている。このため、使用者は、気泡検出により検出されるべき気泡の長さの閾値は適宜調整変更し設定できないような安全設計がなされている。なお、必要に応じて、メンテナンスなどを行うサービスマンによって、閾値を変更することが可能となっている。
【図面の簡単な説明】
【００２２】
【図１】本発明の、ドアを開いた状態の輸液装置の概観斜視図である。
【図２】本発明の操作スイッチパネルを示す図である。
【図３】本発明の気泡センサを示す図である。
【図４】本発明の気泡検出のフローを示す図である。
【図５】本発明の輸液装置の背面斜視図及び底面斜視図である。
【図６】本発明の輸液装置のブロック図である。
【図７】本発明の設定入力のサブルーチンのフローを示す図である。
【符号の説明】
【００２３】
１…輸液装置、２…輸液チューブ、４…ドア、６…動作インジケター、８…滴数設定スイッチ、９…予定量／積算量設定スイッチ、１１…流量設定スイッチ、１３…点検時期表示部
【図１】
0004638694.tif 000002
【図２】
0004638694.tif 000003
【図３】
0004638694.tif 000004
【図４】
0004638694.tif 000005
【図５】
0004638694.tif 000006
【図６】
0004638694.tif 000007
【図７】
0004638694.tif 000008